(57)【特許請求の範囲】
【請求項１】
送風室からダンパーに流入した冷気が流れるように冷蔵室の隔壁に沿って前面に一定の長さを持つ第１冷気ダクト；
前記第１冷気ダクトの前面先端から下方に配置されて長さが可変される第２冷気ダクト；
前記第２冷気ダクトと連結して前記第２冷気ダクトの長さを調節するための長さ調節手段；及び、
前記第２冷気ダクトの下段に付着されて回転と共に冷気が噴射される回転調節手段であって、前記冷気を噴射させるための冷気噴射ノズルと、前記冷気噴射ノズルを回転させるために回転子と固定子からなる可動手段とを含む回転調節手段；を含むことを特徴とする冷気吐出装置。
【請求項２】
前記回転調節手段に具備されて周囲温度を感知するための温度感知手段をさらに含むことを特徴とする請求項１に記載の冷気吐出装置。
【請求項３】
前記第２冷気ダクトは蛇腹形からなることを特徴とする請求項１に記載の冷気吐出装置。
【請求項４】
前記長さ調節手段は、
前記第２冷気ダクトを上下に移動させるための移動手段；及び、
前記第２冷気ダクトの前面先端に具備されて前記移動手段を巻き上げるためのウインチモーターを含むことを特徴とする請求項１に記載の冷気吐出装置。
【請求項５】
前記移動手段はケーブルまたはロープの何れか一つであることを特徴とする請求項４に記載の冷気吐出装置。
【請求項６】
前記ウインチモーターには前記移動手段を巻き上げ巻戻しするためのドラムが軸で連結していることを特徴とする請求項４に記載の冷気吐出装置。
【請求項７】
前記冷気噴射ノズルの一側に回転子が具備されることを特徴とする請求項６に記載の冷気吐出装置。
【請求項８】
冷気を加圧するための送風ファンが具備される送風室；
前記送風室から冷気が流入するように隔壁を貫いて一定の長さで形成されたダンパー；及び、
前記ダンパーの一方の側から前記隔壁の側面で所定の長さで延在する冷気吐出部材；を含むことを特徴とする冷蔵庫の冷気制御装置。
【請求項９】
前記冷気吐出部材は、
送風室からダンパーに流入した冷気が流れるように冷蔵室の隔壁に沿って前面に一定の長さを持つ第１冷気ダクト；
前記第１冷気ダクトの前面先端から下方に配置されて長さが可変される第２冷気ダクト；
前記第２冷気ダクトと連結して前記第２冷気ダクトの長さを調節するための長さ調節手段；及び、
前記第２冷気ダクトの下段に付着されて負荷位置に回転されて冷気が噴射される回転調節手段；を含むことを特徴とする請求項８に記載の冷蔵庫の冷気制御装置。
【請求項１０】
前記回転調節手段に具備されて周囲温度を感知する温度感知手段をさらに含むことを特徴とする請求項９に記載の冷蔵庫の冷気制御装置。
【請求項１１】
前記第２冷気ダクトは蛇腹形からなることを特徴とする請求項９に記載の冷蔵庫の冷気制御装置。
【請求項１２】
前記長さ調節手段は、
前記第２冷気ダクトを上下に移動させるための移動手段；及び、
前記第２冷気ダクトの前面先端に具備されて前記移動手段を巻き上げるためのウインチモーター；を含むことを特徴とする請求項９に記載の冷蔵庫の冷気制御装置。
【請求項１３】
前記移動手段はケーブルまたはロープの何れか一つであることを特徴とする請求項１２に記載の冷蔵庫の冷気制御装置。
【請求項１４】
前記ウインチモーターには前記移動手段を巻き上げ巻き戻しするためのドラムが軸で連結されることを特徴とする請求項１２に記載の冷蔵庫の冷気制御装置。
【請求項１５】
前記回転調節手段は、
前記冷気を噴射させるための冷気噴射ノズル；及び、
前記冷気噴射ノズルを負荷位置に回転させるための可動手段；を含むことを特徴とする請求項９に記載の冷蔵庫の冷気制御装置。
【請求項１６】
冷蔵庫のドアの開閉に応じて冷蔵庫のドアバスケットに沿って作動される冷気吐出手段；
前記冷気吐出手段の作動によって周囲温度を感知するための感知手段；及び、
前記感知の周囲温度が一定水準以上かを判断して冷気を噴射させるように制御する制御手段；を含み、
前記感知の周囲温度が一定水準以上の場合、前記冷気吐出手段が、冷蔵室の前面で冷気を噴射することを特徴とする冷蔵庫の冷気制御装置。
【請求項１７】
前記冷気吐出手段は、
上下に長さが可変される冷気ダクト；
前記冷気ダクトと連結して前記冷気ダクトの長さを調節するための長さ調節手段；及び、
前記冷気ダクトの下段に付着されて回転と共に冷気が噴射される回転調節手段；を含むことを特徴とする請求項１６に記載の冷蔵庫の冷気制御装置。
【請求項１８】
前記回転調節手段の一側に前記感知手段が具備されることを特徴とする請求項１７に記載の冷蔵庫の冷気制御装置。
【請求項１９】
冷蔵室ダンパーの一側から壁面に沿って具備されて前記冷気ダクトと連通する補助ダクトをさらに含むことを特徴とする請求項１７に記載の冷蔵庫の冷気制御装置。
【請求項２０】
前記長さ調節手段は、
前記冷気ダクトを上下に移動させるためのケーブル；及び、
前記冷気ダクトの前面先端に具備されて前記ケーブルを巻き上げるためのウインチモーター；を含むことを特徴とする請求項１７に記載の冷蔵庫の冷気制御装置。
【請求項２１】
前記回転調節手段は、
前記冷気を噴射させるための冷気噴射ノズル；及び、
前記冷気噴射ノズルを回転させるための可動手段；を含むことを特徴とする請求項１７に記載の冷蔵庫の冷気制御装置。
【請求項２２】
冷蔵庫のドアの開閉に応じて冷気吐出手段をドアバスケットに沿って作動させる段階；
前記ドアバスケットに沿って作動する場合、感知手段によって周囲の温度を感知して周囲温度が一定水準以上になるかどうかを判断する段階；及び、
判断の結果、周囲温度が一定水準以上になる場合、冷気吐出手段から冷気を噴射させる段階；を含むことを特徴とする冷蔵庫の冷気制御方法。
【請求項２３】
前記冷気吐出手段を前記ドアバスケットに沿って作動させる段階は、
冷気ダクトを上下に移動させる段階；及び、
前記冷気ダクトに付着された冷気噴射ノズルを回転させる段階；を含むことを特徴とする請求項２２に記載の冷蔵庫の冷気制御方法。
【請求項２４】
前記冷気ダクトの移動にはウインチモーターが利用されることを特徴とする請求項２３に記載の冷蔵庫の冷気制御方法。
【請求項２５】
前記冷気噴射ノズルの回転には可動手段が利用されることを特徴とする請求項２３に記載の冷蔵庫の冷気制御方法。
【請求項２６】
前記可動手段は回転子と固定子からなることを特徴とする請求項２５に記載の冷蔵庫の冷気制御方法。
【請求項２７】
前記冷蔵庫のドアが一定時間の間に開閉されない場合、前記段階らが繰返して行われることを特徴とする請求項２２に記載の冷蔵庫の冷気制御方法。
【発明の詳細な説明】
【０００１】
【発明の属する技術分野】
本発明は冷蔵庫に関し、特に、冷蔵庫に弱冷部分または新規負荷が受納される部分を集中冷却させるための冷気制御装置に関する。
【０００２】
【従来の技術】
一般的に、冷蔵庫は食べ物などを冷凍させたり冷蔵保管するために使用されている。
こうした冷蔵庫は暑い地方において腐りやすい食べ物、新鮮度を維持すべき魚類を冷蔵または冷凍させる装置であって、冷媒を圧縮・凝縮・蒸発の過程を通した冷凍サイクルにより周囲から熱を奪って周囲を冷却させる。
【０００３】
こうした原理を適用した冷蔵庫により食べ物、魚、果物、飲み物などをいつでも保存でき、必要によりいつでも氷を作って食用に供することができる便利さのため、現代社会では必須な家電製品になっている。
【０００４】
図６は一般の冷蔵庫の構造を示す斜視図である。図６を参照すれば、前記冷蔵庫は本体１４の隔壁１８を中心に冷凍室２４と冷蔵室２６に区分される。前記冷凍室２４及び冷蔵室２６から外部の空気を断絶させるためにドア(図示せず)が前面のサイドに装着される。
【０００５】
一方、前記冷蔵庫は前記冷凍室２４と冷蔵室２６の冷却に必要な冷気を形成するように、圧縮・凝縮・蒸発の作用を行う冷凍サイクル器具が具備される。また、前記冷蔵庫には冷凍サイクルによりできた冷気を前記冷凍室２４及び冷蔵室２６に強制送風させる送風ファン１２が前記冷凍室２４の上段後面の送風室１０に装着される。
【０００６】
また、前記冷蔵室２６の各棚１６に冷気を吐出させる前方冷気吐出口２０ａが、前記送風室１０と相互連通している前記冷凍室２４及び冷蔵室２６間の隔壁１８の一定位置に多数形成される。
【０００７】
また、前記冷蔵室の所定位置に設置されて周囲空気を吸入させるための冷気吸入口２２が具備される。
【０００８】
上記のような冷蔵庫では、圧縮機により低温低圧の気相冷媒が高温高圧に圧縮され、圧縮された高温高圧の気相冷媒は凝縮器によって冷却凝縮されて高圧の液状に転換される。そして、高圧の液体状態の冷媒は毛細管(図示せず)を通過しながらその温度と圧力が低くなった後、蒸発器によって低温低圧の気体状態に変わりながら、周囲から熱を奪ってその周囲の空気を冷却させる。続いて、蒸発器を経て冷却された空気が蒸発器の一側に位置した送風ファン１２の作動によって冷凍室２４及び冷蔵室２６に流入循環されることにより、冷凍室及び冷蔵室の内部の温度が低くなる。
【０００９】
上述のように、冷蔵庫には蒸発器の周囲で形成された冷気を冷凍室及び冷蔵室の各受納空間に冷気を均等に送るために冷気分配システムが具備される。勿論、このような冷気分配システムは冷蔵庫の種類によって多様な形態で構成される。
【００１０】
図６及び図７を参照して冷気分配システムを説明すれば、ダンパー２０が冷蔵室２６の上段に具備されて送風室１０と連通している。
【００１１】
前記ダンパー２０は一側面に前方冷気吐出口２０ａと下方冷気吐出口２０ｂが形成される。
【００１２】
よって、上記のような冷気分配システムでは、蒸発器の周囲で形成されて送風室１０に移送された冷気を、送風室１０に具備された送風ファン１２により、冷凍室２４及びダンパー２０に分散させる。
【００１３】
このとき、前記冷凍室２４に流入した冷気は冷凍室の内部を循環後、冷凍室の底面の冷気吸入口２２を通じて再度蒸発器に移動し、前記ダンパー２０に流入した冷気は側面の前方冷気吐出口２０ａを通じて冷蔵室２６に吐出される。
【００１４】
前記ダンパー２０の前方冷気吐出口２０ａを通じて冷蔵室の上部に吐出された冷気は、ドア１５と受納棚１６との間の空間を通じて下部に移動しながら、各受納棚１６間の受納空間に分配流入した後、最終的には蒸発器と連結している冷気吸入口２２に流入する。
【００１５】
【発明が解決しようとする課題】
しかしながら、上述のような従来技術によれば、上部ダンパーから吐出された冷気がダンパー２０と遠く離れた冷蔵室の中下部までよく伝達されないため、冷却作用が効率よく行われず冷蔵室の温度分布が不均一になるという問題点がある。
【００１６】
上部ダンパーから遠く離れたドア１５付近に伝達される冷気供給量が不足しているので、ドアバスケットに受納された食品がよく冷却されないという問題点もある。
【００１７】
一方、上記のように構成された従来の冷蔵庫では、新規負荷(例えば、食品)が受納された冷蔵室２６内の各棚１６及び冷蔵室２６自体の重さを感知して前記冷蔵室２６内に冷気を吐出及び遮断させたり、または冷蔵室２６の特定部位に装着された温度センサー(図示せず)が冷蔵室２６自体の温度を感知判断して前記冷蔵室２６周囲の温度の高低によって冷蔵室全体に冷気を吐出及び遮断させる。
【００１８】
しかし、このような冷気制御方式を利用すれば、上記のように新規負荷により冷蔵室の周囲温度及び重さが上昇される場合、上昇された冷蔵室全体の周囲温度を低下させるために、一定時間冷蔵室全体に冷気を吐出させることにより冷蔵庫自体の電力消費量が大きくなるという問題点がある。
【００１９】
また、上記のように冷蔵室全体を冷却させる冷却制御方式では、冷蔵室全体の周囲温度を低下させながら前記受納された新規負荷を冷却させるため、冷気による新規負荷の冷却速度及び冷蔵庫の冷却能力が大きく低下するという問題点もある。
【００２０】
本発明は前記問題点を解決するために案出したもので、その目的は、冷蔵庫の冷気を制御するための装置を提供することにある。
【００２１】
本発明の他の目的は、受納された負荷が位置する部分を集中冷却させるための装置を提供することにある。
【００２２】
【課題を解決するための手段】
前記目的を達成するために、本発明は、送風室からダンパーに流入した冷気が流れるように冷蔵室の隔壁に沿って前面に一定の長さを持つ第１冷気ダクトと、前記第１冷気ダクトの前面先端から下方に配置されて長さが可変される第２冷気ダクトと、前記第２冷気ダクトと連結して前記第２冷気ダクトの長さを調節するための長さ調節手段と、前記第２冷気ダクトの下段に付着されて回転と共に冷気が噴射される回転調節手段とを含む冷気吐出装置が提供される。
【００２３】
前記冷気吐出装置によれば、前記回転調節手段に具備されて周囲温度を感知するための温度感知手段をさらに含む。
【００２４】
ここで、前記第２冷気ダクトは蛇腹形からなることが望ましい。
【００２５】
前記冷気吐出装置によれば、前記長さ調節手段は、前記第２冷気ダクトを上下に移動させるための移動手段と、前記第２冷気ダクトの前面先端に具備されて前記移動手段を巻き上げるためのウインチモーターとを含む。ここで、前記移動手段はケーブルまたはロープの何れか一つであり、前記ウインチモーターには前記移動手段を巻き上げ巻戻しするためのドラムが軸で連結される。
【００２６】
前記冷気吐出装置によれば、前記回転調節手段は、前記冷気を噴射させるための冷気噴射ノズルと、前記冷気噴射ノズルを回転させるために回転子と固定子からなる可動手段とを含む。ここで、前記冷気噴射ノズルの一側に回転子が具備されることことが望ましい。
【００２７】
本発明の望ましい他の実施形態によれば、冷気を加圧するための送風ファンが具備される送風室と、前記送風室から冷気が流入するように隔壁を貫いて一定の長さで形成されたダンパーと、前記ダンパーの一方の側から前記隔壁の側面で所定の長さで延在する冷気吐出部材とを含む冷蔵庫の冷気制御装置が提供される。
【００２８】
本発明の望ましいまた他の実施形態によれば、冷蔵庫のドアの開閉に応じて冷蔵庫のドアバスケットに沿って作動される冷気吐出手段と、前記冷気吐出手段の作動によって周囲温度を感知するための感知手段と、前記感知の周囲温度が一定水準以上かを判断して冷気を噴射させるように制御する制御手段とを含み、前記感知の周囲温度が一定水準以上の場合、前記冷気吐出手段が冷蔵室の前面で冷気を噴射する冷気制御装置が提供される。
【００２９】
前記冷蔵庫の冷気制御装置によれば、前記冷気吐出手段は、上下に長さが可変される冷気ダクトと、前記冷気ダクトと連結して前記冷気ダクトの長さを調節するための長さ調節手段と、前記冷気ダクトの下段に付着されて回転と共に冷気が噴射される回転調節手段とを含む。
【００３０】
前記冷蔵庫の冷気制御装置によれば、冷蔵室ダンパーの一側から壁面に沿って具備されて前記冷気ダクトと連通する補助ダクトをさらに含む。
【００３１】
本発明の望ましいまた他の実施形態によれば、冷蔵庫のドアの開閉に応じて冷気吐出手段をドアバスケットに沿って作動させる段階、及び前記ドアバスケットに沿って作動する場合、感知手段によって周囲温度を感知して周囲温度が一定水準以上かを判断する段階、及び判断の結果、周囲温度が一定水準以上の場合、冷気吐出手段から冷気を噴射させる段階を含む冷蔵庫の冷気制御方法が提供される。
【００３２】
前記冷蔵庫の冷気制御方法によれば、前記冷気吐出手段をドアバスケットに沿って作動させる段階は、冷気ダクトを上下に移動させる段階、及び前記冷気ダクトに付着された冷気噴射ノズルを回転させる段階を含む。
【００３３】
ここで、前記冷気ダクトの移動にはウインチモーターが利用され、前記冷気噴射ノズルの回転には可動手段が利用される。
【００３４】
前記冷蔵庫の冷気制御方法によれば、前記可動手段は回転子と固定子からなる。
【００３５】
前記冷蔵庫の冷気制御方法によれば、前記冷蔵庫のドアが一定時間の間に開閉されない場合、前記冷気吐出手段を作動させながら測定の周囲温度を基に冷気が噴射される。
【００３６】
【発明の実施の形態】
以下、添付図面に基づき、本発明の望ましい実施形態を詳細に説明する。
本発明は冷蔵庫のドアの開閉後に冷蔵庫の内部の周囲温度を感知していって周囲温度が一定水準以上になる部分に冷気を噴射させる。
【００３７】
図１は本発明の望ましい実施形態による冷気制御装置が適用された冷蔵庫の構造を示し、図２は図１における冷気吐出手段の構造を示す。なお、説明の便宜上、従来技術で同様な名称で使用される図面符号は本発明でも同様に使用する。図１を参照すれば、前記冷蔵庫において、冷気制御装置は送風室１０、ダンパー２０及び冷気吐出手段を含んでなる。
【００３８】
前記送風室１０には冷気を加圧して前記ダンパー２０に送るために送風ファン１２が前記送風室の入口側に具備される。
【００３９】
前記ダンパー２０は前記送風室１０から冷気が流入するように、前記冷蔵庫の冷凍室２４と冷蔵室２６との間の隔壁１８を貫通して前記冷蔵室２６の後壁面の横長さだけつながる。
【００４０】
前記冷気吐出手段は、第１冷気ダクト３０、第２冷気ダクト３２、長さ調節手段及び回転調節手段を含んでなる。
【００４１】
前記第１冷気ダクト３０は前記ダンパー２０の一側から前記隔壁１８に沿って前記隔壁１８の横長さだけ形成されて前記隔壁の側面に具備される。
【００４２】
前記第２冷気ダクト３２は前記第１冷気ダクト３０の前面先端から下方に配置されてその長さが可変されるように形成される。このとき、前記第２冷気ダクト３２は前記第１冷気ダクト３０の前面先端に冷気が外部に洩れ出さないように固定設置されるべきである。前記第２冷気ダクト３２は蛇腹管で形成され、前記第２冷気ダクトの長さを縮小/拡大できるように具備されることが望ましい。
【００４３】
前記長さ調節手段は移動手段３６、ドラム４６及びウインチモーター３８からなる。ここで、前記移動手段３６はケーブルまたはロープからなることが望ましい。前記ドラム４６は前記ウインチモーター３８とモーター軸４４に連結して前記移動手段３６を巻き上げたり巻き戻したりする。このとき、前記ウインチモーター３８の駆動により前記ウインチモーター３８に連結しているモーター軸４４の回転が前記ドラム４６を時計方向または反対方向に回転しながら前記移動手段３６を巻き上げたり巻き戻したりする。ここで、前記移動手段３６の長さ変化により前記第２冷気ダクト３２の長さも同様に変化することに注目すべきである。
【００４４】
前記移動手段３６の一側は前記ドラム４６に固定され、反対側は図２に示すように前記第２冷気ダクト３２の端部に連結している連結管４１に固定される。前記ドラム４６は前記第１冷気ダクト３０の前面先端のダクトの内部に具備され、これとモーター軸４４に連結しているウインチモーター３８は前記第１冷気ダクト３０の外部に具備される。すなわち、前記ウインチモーター３８は前記隔壁１８の内部に具備されたり、または前記隔壁１８の反対側である前記第１冷気ダクト３０の側面に具備されたりする。
【００４５】
前記回転調節手段は可動手段と冷気噴射ノズル３４とからなる。前記冷気噴射ノズル３４は前記送風室１０から送られる冷気の噴射部材である。前記可動手段は電気子巻線と鉄心からなる固定子４０と永久磁石からなる回転子４２とからなる。ここで、前記固定子４０は前記第２冷気ダクト３０に具備された連結管４１の外部周囲に沿って形成され、前記回転子４２は前記冷気噴射ノズル３４の内部周囲に沿って多様な永久磁石が配置される。
【００４６】
したがって、前記固定子４０に電流が印加されれば、前記固定子４０により前記回転子４２が回転し、前記回転子４０の具備された前記冷気噴射ノズル３４が回転する。このとき、前記連結管４１の端部４３と前記冷気噴射ノズル３４の内側端部４５は回転しながら冷気が外部に洩れ出さないように連結することが望ましい。
【００４７】
前記冷気噴射ノズル３４の吐出口４７の周囲一側に外部温度を感知するための温度センサー３７が具備される。望ましく、前記温度センサー３７は前記吐出口４７のそばに具備される。
【００４８】
一方、図１及び図２では示していないが、前記冷気制御装置を具現するには、冷蔵庫のドアの開閉を感知できる開閉センサーが冷蔵庫のドア側に具備され、前記冷気吐出手段と前記温度センサーから感知された周囲温度を利用して冷気が噴射されるように制御するための制御器が別に具備されるべきである。
【００４９】
本発明による動作を説明すれば、図３のように、冷蔵庫のドア１５が開閉されない平常時には第２冷気ダクト３２が縮小された状態で冷気噴射ノズル３４の吐出口４７の方向がドアバスケット１７に向かって冷気が噴射される。
【００５０】
また、一定時間の間に冷蔵庫のドアが開閉されない場合、前記制御器により前記第２冷気ダクト３２が拡張されると同時に冷気噴射ノズル３４が回転され、その時ごとに周囲温度が把握されて一定水準以上になる部分が発生すれば、その部分に冷気を噴射させる。
【００５１】
もし、使用者が冷蔵庫のドアを開閉して新規負荷を前記冷蔵庫のドアバスケット１７または受納棚１６に受納すれば、図４のように、前記冷蔵庫のドアの開閉を感知した前記制御器により第２冷気ダクト３２と冷気噴射ノズル３４が拡張または回転されながら、その時ごとに温度センサーが周囲温度を感知して前記 制御器に送れば、前記制御器により前記周囲温度が一定水準以上かを把握して冷気が噴射される。このとき、前記第２冷気ダクト３２と前記冷気噴射ノズル３４の動作順序は前記第２冷気ダクトが拡張され、続いて前記冷気噴射ノズルが回転されることが望ましい。
【００５２】
また、前記第２冷気ダクト３２の拡張は一定単位で不連続的になることができ、前記冷気噴射ノズル３４の回転はスムーズに連続的に動作できる。
【００５３】
したがって、新規負荷の受納された部分に前記第２冷気ダクト３２が拡張され前記冷気噴射ノズル３４が回転されれば、この時に感知された周囲温度が一定水準以上になって前記冷気噴射ノズルを通じて冷気が噴射される。勿論、前記新規負荷が冷たい食品といえば、前記感知された周囲温度が既設定の一定水準以下になって冷気が噴射されない。
【００５４】
結局、冷蔵庫のドア１５が開閉されて新規負荷が受納されれば、前記第２冷気ダクト３２と前記冷気噴射ノズル３４が前記新規負荷の受納された部分に位置するまで作動することになり、この時に感知された周囲温度により冷気が噴射される。
【００５５】
以上で説明した冷気制御装置における動作を、図５を参照して詳細に説明する。
図５は本発明の望ましい実施形態による冷気制御装置において、温度感知を通した冷気制御方法を説明するための順序図である。図５を参照すれば、開閉センサーにより冷蔵庫のドアが開閉されるか否か感知される(段階５１)。このとき、前記冷蔵庫のドアが開閉されても新規負荷が受納されたりまたは受納されないことがある。すなわち、使用者が冷蔵庫から何かを取り出そうとしてドアを開き、何も取り出さずにそのままドアを閉じることもある。
【００５６】
前記段階５１において、冷蔵庫のドアの開閉が感知されれば、制御器により冷気ダクトと冷気噴射ノズルが作動される(段階５３、段階５５)。ここで、前記冷気ダクトは図１での第２冷気ダクトを意味する。
【００５７】
前記制御器は前記冷気ダクトを一定単位で拡張後、続いて前記冷気噴射ノズルを連続的に回転させながら、その時ごとに周囲温度を温度センサーにより感知されるようにする(段階５７)。
【００５８】
前記制御器は周囲温度が既設定の温度を超過するかを判断して、設定の温度を超過しなければ前記段階５３乃至前記段階５７の過程を繰返して行う。
【００５９】
もし、周囲温度が設定の温度を超過すれば、前記制御器は冷気噴射ノズルを通じて冷気が噴射される(段階６１)。
【００６０】
前記段階５１において、冷蔵庫のドアの開閉が感知されて前記段階ら(段階５３乃至段階５７）が行われても、新規負荷の受納されない場合には前記段階６１による冷気が噴射されない。
【００６１】
また、新規負荷が受納されても、前記新規負荷が冷いならば既設定の温度以下であるので、この時にも冷気は噴射されない。
【００６２】
一方、前記段階５１において、冷蔵庫のドアが開閉されない場合、前記制御器は冷蔵庫のドアが開閉される時間を測定する(段階６３)。測定結果、一定時間の間に冷蔵庫のドアが開閉されない場合すなわち一定時間を超過する場合、前記段階５３乃至前記段階６１の過程を行って冷蔵庫の受納棚またはドアバスケットの周囲温度を持続的に把握して、周囲温度が一定水準以下の部分に冷気を噴射させる。
【００６３】
反面、一定時間以内に冷蔵庫のドアが開閉される場合、前記段階５１に移動して開閉センサーにより冷蔵庫のドアが開閉されたか否かを確認する。
【００６４】
【発明の効果】
以上で説明したように、本発明の望ましい実施形態に係る冷気制御装置によれば、冷蔵庫のドアの開閉によって冷蔵庫の上部から下部に移動しながらその時ごとに周囲温度を把握して一定水準を超過する部分に冷気を噴射させることにより、早い時間内に新しい負荷が受納されても冷蔵室の全体の温度分布を均一にする。
【００６５】
また、本発明によれば、冷蔵庫のドアが開閉されない場合にも周期的に冷蔵庫の内部の全領域を対象に温度を測定して弱冷の部分に冷気を噴射させることで、電力消費量を大きく低減できる。
【００６６】
また、本発明によれば、平常時には冷気噴射ノズルの吐出口の方向を冷蔵庫のドアの方向として冷気を噴射させることで、冷蔵庫のドアを開閉しても外部の暑い空気を遮断させる冷気カーテンの役割を行うことができる。
【００６７】
集中冷却作用が可能になり、このような集中冷却作用が自動的に行われるため、 結果的に冷蔵室の温度分布が均一に維持される。
【図面の簡単な説明】
【図１】本発明の望ましい実施形態による冷気制御装置が適用された冷蔵庫の構造を示す図である。
【図２】図１における冷気吐出手段の構造を示す図である。
【図３】本発明の望ましい実施形態による冷気制御装置の動作状態を示す図である。
【図４】本発明の望ましい実施形態による冷気制御装置の動作状態を示す図である。
【図５】本発明の望ましい実施形態による冷気制御装置において、温度感知を通した冷気制御方法を説明するための順序図である。
【図６】一般的の冷蔵庫の構造を示す斜視図である。
【図７】従来の冷気分配システムによる冷気循環状態を示す図である。
【符号の説明】
１０…送風室
１２…送風ファン
１４…本体
１５…ドア
２０…ダンパー
２０ａ…前方冷気吐出口
２０ｂ…下方冷気吐出口
２２…冷気吸入口
２４…冷凍室
２６…冷蔵室
３０…第１冷気ダクト
３２…第２冷気ダクト
３４…冷気噴射ノズル
３６…移動手段
３８…ウインチモーター
４０…固定子
４１…連結管
４２…回転子
４４…モーター軸
【図１】
0003803617.tif 000002
【図２】
0003803617.tif 000003
【図３】
0003803617.tif 000004
【図４】
0003803617.tif 000005
【図５】
0003803617.tif 000006
【図６】
0003803617.tif 000007
【図７】
0003803617.tif 000008